(57)【要約】      （修正有）【課題】ブラインド用スラットを折れ曲がりに強くすることができ、ブラインド用スラットを取り外すことなく、ブラインドに取り付けたまま補強することができるブラインド用スラットの補強材を提供する。【解決手段】スラット１に着接する、スラット１の昇降コード２を挿通する挿通孔１２が穿孔された補強シート１１と、スラット１の長手方向に沿って、補強シート１１に設けられた芯状の補強部２０と、を備え、補強シート１１は、補強シート１１の外周から、挿通孔１２にかけて、切り込み１３が形成され、切り込み１３を介して昇降コード２を挿通孔１２に挿通させることを特徴とする。【選択図】図１
0003205025.tif 000002
【実用新案登録請求の範囲】
【請求項１】
ブラインド用スラットの補強材において、
前記スラットに着接する、前記スラットの昇降コードを挿通する挿通孔が穿孔された補強シートと、
前記スラットの長手方向に沿って、前記補強シートに設けられた芯状の補強部と、を備え、
前記補強シートは、前記補強シートの外周から、前記挿通孔にかけて、切り込みが形成され、前記切り込みを介して前記昇降コードを前記挿通孔に挿通させることを特徴とするブラインド用スラットの補強材。
【請求項２】
前記補強部が、前記挿通孔と前記シートの前記スラットの略長手方向に沿った辺との間の狭隘部を跨いで設けられていることを特徴とする請求項１に記載のブラインド用スラットの補強材。
【請求項３】
前記補強部が、折り曲げられた前記補強シートの一部であることを特徴とする請求項１又は請求項２に記載のブラインド用スラットの補強材。
【請求項４】
前記補強部が、棒状であり、
前記補強シートが、前記補強部を固定可能な保持部を備えることを特徴とする請求項１又は請求項２に記載のブラインド用スラットの補強材。
【請求項５】
前記補強シートが、樹脂製又は金属製であり、前記スラットに沿った形状に湾曲可能であることを特徴とする請求項１〜請求項４のいずれか１項に記載のブラインド用スラットの補強材。
【考案の詳細な説明】
【技術分野】
【０００１】
本考案は、ブラインド用スラットの補強材に関する。
【背景技術】
【０００２】
従来より、昇降コードを昇降させることによって、スラットを昇降させるブラインドがある。しかしながら、従来のブラインド用のスラットは、昇降コードの挿通する部分が強度的に弱く、その部分で折れ曲がってしまうことがあり、様々な折れ曲がりに強いブラインド用スラットが提案されている。
【０００３】
折れ曲がりに強いブラインド用スラットとしては、例えば、特許文献１に示されるスラットがある。特許文献１に記載のスラットは、昇降コード挿通孔の近傍に、スラットの表面よりも突出する突起を形成することで、スラットの剛性を向上させて、折れ曲がりを防止する。
【先行技術文献】
【特許文献】
【０００４】
【特許文献１】特開２００２−３４９１６１号公報
【考案の概要】
【考案が解決しようとする課題】
【０００５】
しかしながら、折れ曲がりに強いブラインド用スラットは、それまで取り付けられていたスラットを取り外して付け替えなければならず、作業が煩雑である。
【０００６】
本考案は、このような事情に鑑みてなされたもので、ブラインド用スラットを折れ曲がりに強くすることができ、ブラインド用スラットを取り外すことなく、ブラインドに取り付けたまま補強することができるブラインド用スラットの補強材を提供することにある。
【課題を解決するための手段】
【０００７】
請求項１に記載のブラインド用スラットの補強材は、スラットに着接する、スラットの昇降コードを挿通する挿通孔が穿孔された補強シートと、スラットの長手方向に沿って、補強シートに設けられた芯状の補強部と、を備え、補強シートは、補強シートの外周から、挿通孔にかけて、切り込みが形成され、切り込みを介して昇降コードを挿通孔に挿通させることを特徴とする。
【０００８】
請求項２に記載のブラインド用スラットの補強材は、補強部が、挿通孔とシートのスラットの略長手方向に沿った辺との間の狭隘部を跨いで設けられていることを特徴とする。
【０００９】
請求項３に記載のブラインド用スラットの補強材は、補強部が、折り曲げられた補強シートの一部であることを特徴とする。
【００１０】
請求項４に記載のブラインド用スラットの補強材は、補強部が、棒状であり、補強シートが、補強部を固定可能な保持部を備えることを特徴とする。
【００１１】
請求項５に記載のブラインド用スラットの補強材は、補強シートが、樹脂製又は金属製であり、スラットに沿った形状に湾曲可能であることを特徴とする。
【考案の効果】
【００１２】
本考案のブラインド用スラットの補強材によれば、ブラインド用スラットを折れ曲がりに強くすることができ、ブラインド用スラットを取り外すことなく、ブラインドに取り付けたまま補強することができる。
【図面の簡単な説明】
【００１３】
【図１】本考案に係るブラインド用スラットの補強材の一例の使用状態を示す斜視図である。
【図２】本考案に係るブラインド用スラットの補強材の一例の平面図である。
【図３】本考案に係るブラインド用スラットの補強材の他の例の使用状態を示す斜視図である。
【図４】本考案に係るブラインド用スラットの補強材の他の例の平面図である。
【考案を実施するための形態】
【００１４】
以下、本考案の形態について図面を参照しながら具体的に説明する。図１は、本考案に係るブラインド用スラットの補強材の一例の使用状態を示す斜視図である。図２は、本考案に係るブラインド用スラットの補強材の一例の平面図である。
【００１５】
図１に示すように、ブラインド用スラットの補強材１０は、補強シート１１と、補強部２０と、を備える。図１、２に示すように、補強シート１１は、挿通孔１２と、切り込み１３と、平面部２１と、を備え、スラット１に着接する。
【００１６】
補強シート１１は、スラット１の長手方向に長い略長方形のシート材である。補強シート１１のスラット幅方向の長さは、スラット１のスラット幅よりも短い。補強シート１１は、略長方形以外の形状であってもよい。補強シート１１の材質は、チタンであるが、樹脂又はチタン以外の金属であってもよい。補強シート１１の材質が樹脂の場合、透明又は半透明な樹脂を用いることができる。
【００１７】
挿通孔１２は、補強シート１１の中心に穿孔され、昇降コード２を挿通する。挿通孔１２は、スラット１に穿孔されている昇降コードを挿通するための孔と略同一形状である。挿通孔１２の中心は、補強シート１１の長手方向の中心とは異なる位置に開口してもよいが、補強シート１１のスラット幅方向の中心に開口することが好ましい。
【００１８】
補強シート１１は、補強シート１１の外周から、挿通孔１２にかけて、切り込み１３を形成する。切り込み１３は、スラット１の長手方向に沿って形成されているが、切り込み１３の形成される方向は、スラット１の長手方向に限定するものではない。
【００１９】
図２に示すように、補強シート１１は、スラット１の略長手方向に沿った２つの辺の一部が、それぞれスラット幅方向に伸びて、平面部２１を形成する。２つの平面部２１は、略長方形で、２つの平面部２１の間に挿通孔１２が位置するように、補強シート１１を挟んで向かい合う。
【００２０】
補強シート１１の一部である平面部２１は、スラット１の長手方向と平行な、３つの折り目２１ａを有する。平面部２１は、３つの折り目２１ａで、それぞれ上方に折り曲げられる。折り目２１ａで折り曲げることで形成された、平面部２１のスラット幅方向の縁を含む部分を先端部２１ｂとし、平面部２１は、先端部２１ｂを補強シート１１に着接することにより、スラット１の長手方向に沿った三角柱状の補強部２０を形成する。
【００２１】
補強部２０は、挿通孔１２と、スラット１の略長手方向に沿った辺との間の狭隘部１１ａを跨いで形成される。補強部２０は、芯状に形成されればよく、例えば、平面部２１を円筒状に折り曲げて形成されてもよい。また、補強部２０は、補強シート１１に平面部２１を形成することなく、補強シート１１のスラット１の略長手方向に沿った辺を含む、補強シート１１の一部を折り曲げて形成されてもよい。
【００２２】
ブラインド用スラットの補強材１０は、以下のようにして使用される。補強シート１１をスラット１の形状に合わせて湾曲させ、補強シート１１の下面に、接着シートなどを貼り付ける。補強シート１１の切り込み１３を広げ、昇降コード２を挟み込む。昇降コード２が切り込み１３を介して挿通孔１２に挿通するまで、補強シート１１を昇降コード２に押しつける。
【００２３】
挿通孔１２の位置を、スラット１に穿孔されている昇降コード２を挿通するための孔に合わせる。スラット１からはみ出さないように補強シート１１をスラット１に着接させ、接着シートなどにより接着する。補強シート１１の平面部２１を折り曲げ、先端部２１ｂを補強シート１１に着接し、補強部２０を形成する。スラット１の長手方向に長い補強部２０は、スラット１の折れ曲がりに対する強度を向上させる。
【００２４】
ブラインド用スラットの補強材１０の補強部２０は、補強シート１１の平面部２１を折り曲げて形成するものに限られず、図３、４のようなものであってもよい。図３は、本考案に係るブラインド用スラットの補強材の他の例の使用状態を示す斜視図である。図４は、本考案に係るブラインド用スラットの補強材の他の例の平面図である。
【００２５】
図３に示すブラインド用スラットの補強材１０の補強部３０は、補強シート１１の保持部３１と、棒状の補強部材３２により形成される。図４に示すように、補強シート１１は、スラット１の略長手方向に沿った辺の一部がスラット幅方向に伸びて、保持部３１を形成する。保持部３１は、略長方形で、補強シート１１のスラット１の略長手方向に沿った２つの辺にそれぞれ２つずつ形成される。
【００２６】
補強シート１１の一方の辺に形成された２つの保持部３１は、補強シート１１の他方の辺に形成された２つの保持部３１と、補強シート１１を挟んでそれぞれ向かい合う。４つの保持部３１は、補強シート１１の挿通孔１２が開口する部分を囲むように形成される。
【００２７】
補強部材３２は、丸い棒状である。補強部材３２の長さは、補強シート１１の一方の辺に形成された２つの保持部３１をスラット１の長手方向に跨った長さよりも長い。補強部材３２の材質は、金属であるが、木又は樹脂であってもよい。補強部材３２は、角柱状であってもよい。
【００２８】
補強部３０は、補強部材３２に保持部３１を巻き付けて形成される。保持部３１が挿通孔１２に挿通された昇降コード２の近辺以外の位置に形成されるため、昇降コード２は、補強部材３２に保持部３１を巻き付けて補強部３０を形成するとき邪魔にならない。
【００２９】
なお、ブラインド用スラットの補強材１０の形状は、本明細書や図に記載したものに限られるものではなく、本願考案の趣旨に沿うものであればよい。例えば、補強部２０は、最初から形成されている補強リブであってもよい。また、平面部２１を下方に折り曲げ、スラット１の略長手方向に沿った辺を挟み込むようにして補強部２０を形成してもよい。補強部２０は、補強シート１１のスラット１の長手方向に沿った辺の一方にのみ形成してもよい。
【００３０】
以上のようなブラインド用スラットの補強材１０を使用することで、スラット１を、折れ曲がりに強いブラインド用スラットのように、折れ曲がりに強くすることができる。ブラインド用スラットの補強材１０は、昇降コード２がスラット１に開口された孔に挿通されたままの状態で、補強シート１１をスラット１に着接させることができ、スラット１は、ブラインドから取り外すことなく補強することができる。そのため、ブラインドからスラット１を取り外し、折れ曲がりに強いブラインド用スラットに付け替えるという、煩雑な作業を必要としない。
【産業上の利用可能性】
【００３１】
本考案により、ブラインド用スラットを折れ曲がりに強くすることができ、ブラインド用スラットを取り外すことなく、ブラインドに取り付けたまま補強することができるブラインド用スラットの補強材を提供することができる。
【符号の説明】
【００３２】
１・・・・・スラット
２・・・・・昇降コード
１０・・・・補強材
１１・・・・補強シート
１１ａ・・・狭隘部
１２・・・・挿通孔
１３・・・・切り込み
２０・・・・補強部
２１・・・・平面部
２１ａ・・・折り目
２１ｂ・・・先端部
３０・・・・補強部
３１・・・・保持部
３２・・・・補強部材
【図１】
0003205025.tif 000003
【図２】
0003205025.tif 000004
【図３】
0003205025.tif 000005
【図４】
0003205025.tif 000006